(57)【要約】【課題】取り消しキーが無くてもタイマ設定を取り消すことができ、タイマ設定がしやすく操作性を向上すること。【解決手段】タイマ設定モード１２への移行とタイマ時間を設定する加熱部を選択する機能を兼ねた選択キー８でタイマ設定を取り消す加熱部が選択された状態で、タイマアップキー１７またはタイマダウンキー１８で時間が設定された後にタイマ設定モード１２移行直後でタイマ時間が設定されていない未設定時間モード１３に設定された場合は、所定時間経過後、タイマ設定モード１２を解除し、かつ未選択で未設定時間モード１３に設定されている前記加熱部も同時にタイマ設定モード１２を解除すること。【選択図】図１
2012251683.tif 000002
【特許請求の範囲】
【請求項１】
複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、前記タイマ設定モードへの移行直後でタイマ時間が設定されていない未設定時間モードとを備え、前記選択キーでタイマ設定を取り消す前記加熱部が選択された状態で、前記タイマアップキーまたは前記タイマダウンキーで時間が設定された後に前記未設定時間モードに設定された場合は、所定時間経過後タイマ設定モードを解除し、かつ未選択で未設定時間モードに設定されている前記加熱部も同時にタイマ設定モードを解除するようにした加熱調理器。
【請求項２】
タイマ設定モードでタイマ時間を設定した場合に、未選択の加熱部で未設定時間モードに設定されている前記加熱部は、所定時間経過後タイマ設定モードを解除するようにした請求項１に記載の加熱調理器。
【請求項３】
報知手段を備え、タイマ設定モード解除時に前記報知手段により使用者に解除したことを報知するようした請求項１または２に記載の加熱調理器。
【発明の詳細な説明】
【技術分野】
【０００１】
本発明は、一般家庭や業務用に使用される加熱調理器に関するものである。
【背景技術】
【０００２】
従来、加熱調理器では、調理メニューを選択する選択キーと、タイマ時間を増加させる分キーと、メニュー選択の取り消しとタイマ時間の取り消しを兼ねた取り消しキーを操作部に備えている。時間を設定する際には分キーを押して、使用者が設定したい時間に設定する。タイマ時間は増加させることしかできないため、タイマ設定時間を越えてしまった場合は、分キーを押し０分にして１分から再度設定するか、取り消しで０分に戻して１分から再度設定するといった方法で時間を設定し直していた（例えば、特許文献１参照）。
【０００３】
また、操作部のスペースから、各バーナーにタイマキーを配置することができない場合は、各バーナーのタイマキーを共用にしている加熱調理器もある。この場合は選択キーでバーナーを選択し、分キーでタイマ時間を増加させ、取り消しキーでタイマ設定取り消す仕様になっており、選択キーを操作することで加熱しているバーナーはすべてタイマ設定できるモードに移行し、選択キーを再度押すことによって次のバーナーへ移行し、それぞれ時間が設定できるようにしていた。
【先行技術文献】
【特許文献】
【０００４】
【特許文献１】特開２００７−２１１９９４号公報
【発明の概要】
【発明が解決しようとする課題】
【０００５】
しかしながら、従来の構成では、選択キーと分キーと取り消しキーの３つから構成される場合に、分キーがタイマ時間を増加させることしかできないため、設定したい時間を越えてしまった場合に、分キーを押して０分にして１分から再度設定するか、取り消しで０分に戻して１分から再度設定する必要があり、タイマ機能の操作性がよくなかった。
【０００６】
さらに、タイマ設定を取り消すバーナーを選択する選択キーと、タイマ時間を増加させる分キーと、タイマ設定を取り消すための取り消しキーの３つで構成しすべてのバーナーのタイマ機能を共用する場合に、選択キーを操作すると、加熱しているすべてのバーナーがタイマ設定可能なモード移行するため、誤って別のバーナーのタイマ設定を行ってしまうという課題を有していた。
【０００７】
本発明は、従来あった取り消しキーの代わりに、タイマ時間を減少させるタイマダウンキーを設け、タイマ設定を取り消すために、タイマ設定可能なモードに移行した直後のタイマ未設定状態からタイマ時間が設定され、それから再度タイマ未設定状態に戻された場合には、取り消しと判断しタイマ設定可能なモードを解除するようにすることで、取り消しキーが無くてもタイマが取り消せてタイマ設定が短時間で可能となり、使い勝手のよい加熱調理器を提供することを目的とする。
【０００８】
さらに複数のバーナーがタイマ設定可能な状態で、かつタイマ未設定状態である場合に使用者がタイマ設定を取り消すのと同時に、タイマ未設定状態のバーナーも同時にタイマ設定可能なモードを解除することで、使用者が誤って他のバーナーにタイマを設定してしまうことを防ぎ、使い勝手のよい加熱調理器を提供することを目的とする。
【課題を解決するための手段】
【０００９】
前記従来の課題を解決するために、本発明の加熱調理器は、複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、タイマ設定モード移行直後でタイマ時間が設定されていない未設定時間モードとを備え、前記選択キーでタイマ設定を取り消す前記加熱部が選択された状態で、前記タイマアップキーまたは前記タイマダウンキーで時間が設定された後に前記未設定時間モードに設定された場合は、所定時間経過後タイマ設定モードを解除し、かつ未選択で未設定時間モードに設定されている前記加熱部も同時にタイマ設定モードを解除するようにすることで、取り消しキーが無くてもタイマ設定を取り消すことができ、タイマダウンキーが設けられたことで、タイマ設定を誤って長く設定しても、短くすることが可能となり、使い勝手が向上する。また選択されている加熱部のタイマ設定モード解除と同時に、その他の加熱部で未設定時間モードに設定されているものは、タイマ設定モードを解除するため、使用者が誤って他の加熱部にタイマ設定することを防ぐことができる。
【発明の効果】
【００１０】
本発明の加熱調理器は、取り消しキーが無くてもタイマ設定を取り消すことができ、タイマダウンキーが設けられたことで、タイマ設定を誤って長く設定しても、短くすることが可能となり、使い勝手が向上する。また選択されている加熱部のタイマ設定モード解除と同時に、その他の加熱部で未設定時間モードに設定されているものは、タイマ設定モードを解除するため、使用者が誤って他の加熱部にタイマ設定することを防ぐことができる。
【図面の簡単な説明】
【００１１】
【図１】本発明の実施の形態１における加熱調理器の全体構成図
【図２】（ａ）本発明の実施の形態１におけるタイマ取り消しにおいて通常加熱時のタイマ表示を示す動作図（ｂ）本発明の実施の形態１におけるタイマ取り消しにおいてタイマ設定モード移行直後のタイマ表示を示す動作図（ｃ）本発明の実施の形態１におけるタイマ取り消しにおいてタイマ時間設定時のタイマ表示を示す動作図（ｄ）本発明の実施の形態１におけるタイマ取り消しにおいて未設定時間モードのタイマ表示を示す動作図（ｅ）本発明の実施の形態１におけるタイマ取り消しにおいてタイマ設定取り消し後のタイマ表示を示す動作図
【図３】（ａ）本発明の実施の形態１におけるタイマ設定された場合のタイマ未設定状態加熱部において通常加熱時のタイマ表示を示す動作図（ｂ）本発明の実施の形態１におけるタイマ設定された場合のタイマ未設定状態加熱部においてタイマ設定モード移行直後のタイマ表示を示す動作図（ｃ）本発明の実施の形態１におけるタイマ設定された場合のタイマ未設定状態加熱部においてタイマ時間設定時のタイマ表示を示す動作図（ｄ）本発明の実施の形態１におけるタイマ設定された場合のタイマ未設定状態加熱部において所定時間経過後のタイマ表示を示す動作図
【発明を実施するための形態】
【００１２】
第１の発明は、複数の加熱部と、前記加熱部を制御する制御部と、前記制御部にタイマ時間を設定できるタイマ設定モードと、前記タイマ設定モードへの移行とタイマ時間を設定する加熱部を選択する機能を兼ねた選択キーと、前記タイマ設定モードでタイマ時間を増加させるタイマアップキーと、前記タイマ設定モードでタイマ時間を減少させるタイマダウンキーと、タイマ設定モード移行直後でタイマ時間が設定されていない未設定時間モードとを備え、前記選択キーでタイマ設定を取り消す前記加熱部が選択された状態で、前記タイマアップキーまたは前記タイマダウンキーで時間が設定された後に前記未設定時間
モードに設定された場合は、所定時間経過後タイマ設定モードを解除し、かつ未選択で未設定時間モードに設定されている前記加熱部も同時にタイマ設定モードを解除することで、取り消しキーが無くてもタイマ設定を取り消すことができ、タイマダウンキーが設けられたことで、タイマ設定を誤って長く設定しても、短くすることが可能となり、使い勝手が向上する。また選択されている加熱部のタイマ設定モード解除と同時に、その他の加熱部で未設定時間モードに設定されているものも、タイマ設定モードを解除するため、使用者が誤って他の加熱部にタイマ設定することを防ぐことができる。
【００１３】
第２の発明は、特に、第１の発明において、前記タイマ設定モードでタイマ時間が設定した場合に、未選択の前記加熱部で未設定時間モードに設定されている前記加熱部は、所定時間経過後タイマ設定モードを解除することで、使用者が選択した加熱部にタイマが設定された場合に、その他の未設定時間モードの加熱部もタイマ設定モードが解除されるため、現在タイマが設定されている加熱部がどれかわかりやすくなり、誤って他の加熱部にタイマを設定してしまうことを防ぐことができる。
【００１４】
第３の発明は、特に、第１または第２の発明において、報知手段を備え、タイマ設定モード解除時に前記報知手段により使用者に解除したことを報知することで、タイマ設定モードが解除されたことを使用者が認識できるため、操作性が向上する。
【００１５】
以下、本発明の実施の形態について、図面を参照にしながら説明する。なお、この実施の形態によって、本発明が限定されるものではない。
【００１６】
（実施の形態１）
図１は、本発明の実施の形態における加熱調理器の構成を示すものである。
【００１７】
図１に示すように、本実施の形態における加熱調理器は、発熱体等から構成される第１加熱部１、第２加熱部２、第３加熱部３と、それぞれの加熱部の加熱を制御するためマイクロコンピュータ（マイコン）や検知回路が実装された制御基板等から構成させる制御部４と、使用者が操作する操作部５と、現在の動作状況を表示するために液晶表示素子やＬＥＤ等から構成される表示部６と、スピーカーやブザー等から構成され使用者に知らせる報知手段７を備えている。操作部５には、タイマを設定する加熱部を選択するための選択キー８と、表示部６には第１〜３加熱部１、２、３ごとに第１加熱部選択表示部９、第２加熱部選択表示部１０、第３加熱部選択表示部１１が設けられており、選択キー８が押されると制御部４は、タイマ時間が設定可能となるタイマ設定モード１２へ移行し、加熱しており選択中であれば選択制御部は点滅、未選択であれば点灯、加熱していないまたは通常加熱モードであれば消灯で表示する。タイマ設定モード１２に移行直後は、タイマ設定可能状態で時間が設定されていない未設定時間モード１３であり、表示部６に設けられたタイマ時間を表示するための十桁表示部と一桁表示部で構成される時間表示部１４のセグメントａ１５とセグメントｂ１６の点灯させるセグメントを選択して「−−」と表示させる。未設定時間モード１３から、操作部５に設けられたタイマ設定時間を増加させるタイマアップキー１７と減少させるタイマダウンキー１８を押すことによって、タイマ時間を設定することができ、設定時間を時間表示部１４に表示する。
【００１８】
以上のように構成された加熱調理器について、以下にその動作、作用を説明する。
【００１９】
図２に本発明の第１の実施の形態におけるタイマ取り消し動作図を示す。図２は第１加熱部１と第３加熱部３がそれぞれ加熱しており、第１加熱部１のタイマを取り消す動作を説明するが、実際には図２の第３加熱部のタイマ表示は表示されない。
【００２０】
図２（ａ）のように加熱開始時は、時間表示部１４や選択表示部は消灯している。選択
キー８が押されると、タイマ設定モード１２へ移行するため、図２（ｂ）のように選択されている第１加熱部選択表示部９が点滅し、第３加熱部選択表示部１１は点灯する。移行直後で、未設定時間モード１３のため、時間表示部１４は「−−」となる。第１加熱部１のタイマを取り消すために、図２（ｃ）のようにタイマアップキー１７を操作し、時間を設定する（図２（ｃ）の例示ではタイマアップキーを２回押し２分に設定）。その後、タイマダウンキー１８を押して図２（ｄ）のように未設定時間モード１３に設定する（図２（ｄ）では、タイマダウンキーを２回押す）。その状態で所定時間経過するとタイマ設定モードが解除され、図２（ｅ）のように、第１加熱部１のタイマ設定モード１２を解除し、さらに第３加熱部３はタイマが設定されていないため、タイマ設定しないと判断し、同時にタイマ設定モードを解除する。解除時に報知手段７により取り消したことを報知する。
【００２１】
以上のようにすることで、取り消しキーが無くてもタイマ設定を取り消すことができ、タイマダウンキー１８が設けられたことで、タイマ設定を誤って長く設定しても、短くすることが可能となり、使い勝手が向上する。また選択されている加熱部のタイマ設定モード１２解除時と同時に、その他の加熱部で未設定時間モード１３に設定されているものも、タイマ設定モード１２を解除するため、使用者が誤って他の加熱部を設定することを防ぐことができる。
【００２２】
なお、タイマ設定モード１２でタイマ時間を設定した場合に、未選択の前記加熱部で未設定時間モード１３に設定されている前記加熱部はすべて、所定時間経過後、タイマ設定モード１２を解除するようにしてもよい。図３を用いて動作を説明する。タイマ設定モード１２へ移行するため、図３（ｂ）のように選択されている第１加熱部選択表示部９が点滅し、第３加熱部選択表示部１１は点灯する。第１加熱部１のタイマを２分に設定するために、図３（ｃ）のようにタイマが第１加熱部１に設定される。この状態のまま、所定時間経過すると、第３加熱部３にはタイマを設定しないと判断し、タイマ設定モード１２を解除する。そのため図３（ｄ）のようになる。このようにすることで、第３加熱部３にタイマが設定されていると誤って使用者に認識させてしまうことを防ぐことができる。
【００２３】
なお、第１加熱部１と第２加熱部２を未設定時間モード１３、第３加熱部３にタイマ時間を設定した場合に、第１加熱部１を取り消すと、第１加熱部１と第２加熱部２のタイマ設定モード１２が解除される。同時にタイマ設定の選択を第３加熱部３に移行させてもよい。タイマ設定されている加熱部がどれか使用者が認識しやすくなる。
【産業上の利用可能性】
【００２４】
以上のように、本発明にかかわる加熱調理器は、複数の加熱部のタイマを共用させる場合に、操作性を向上させることができるため、家庭用に限らず業務用の加熱調理器にも適用することができる。
【符号の説明】
【００２５】
１  第１加熱部
２  第２加熱部
３  第３加熱部
４  制御部
５  操作部
６  表示部
７  報知手段
８  選択キー
９  第１加熱部選択表示部
１０  第２加熱部選択表示部
１１  第３加熱部選択表示部
１２  タイマ設定モード
１３  未設定時間モード
１４  時間表示部
１５  セグメントａ
１６  セグメントｂ
１７  タイマアップキー
１８  タイマダウンキー
【図１】
2012251683.tif 000003
【図２】
2012251683.tif 000004
【図３】
2012251683.tif 000005